(57)【特許請求の範囲】
【請求項１】
４つの多孔板部を十字型をなすように配列したコンクリート製十字ブロックを備え、該十字ブロックの各多孔板部の先端には、同列に並ぶ多孔板部同士で上・下の向きを逆にする段部を設けておき、前記十字ブロックの複数を、各多孔板部の先端の段部が相互に重なる状態で縦横に連接して格子状構造となし、各多孔板部で囲まれた空域を石、土等の充填域としたことを特徴とする多自然化用組立ブロック。
【請求項２】
３つの多孔板部をＴ字型をなすように配列したコンクリート製Ｔ字ブロックをさらに備え、該Ｔ字ブロックの各多孔板部の先端には、相隣接する２つの多孔板部と残りの１つの多孔板部との間で上・下の向きを逆にする段部を設けておき、該Ｔ字ブロックの複数を、それぞれの多孔板部の先端の段部が相互にかつ十字ブロックの段部に対して重なる状態で連接して、端縁を画定したことを特徴とする請求項１に記載の多自然化用組立ブロック。
【請求項３】
２つの多孔板部をＬ字型をなすように配列したコンクリート製Ｌ字ブロックをさらに備え、該Ｌ字ブロックの各多孔板部の先端には、相互に上・下の向きを逆にする段部または同じ向きの段部を設けておき、該Ｌ字ブロックを、その多孔板部の先端の段部がＴ字ブロックの段部に対して重なる状態で連接して、隅角を画定したことを特徴とする請求項２に記載の多自然化用組立ブロック。
【発明の詳細な説明】
【０００１】
【発明の属する技術分野】
本発明は、内部空域を石、土等の充填域として提供する多自然化用組立ブロックに関する。
【０００２】
【従来の技術】
近年、自然環境の保全、快適な水辺空間の創造などを目的に河川護岸の整備が推し進められており、この方策にそって、従来より種々の護岸工法、いわゆる多自然護岸工法が提案、実施されている。この多自然護岸工法は、予めネットや格子状フレームなどの多孔部材上に自然石等の石材を載置固定して、多孔部材ごと護岸に据付ける敷石工法（例えば、特公平７−１１１２１号公報、特開平１０−３３１１３２号公報等）と、プレキャストコンクリート製の籠状（または枠状）ブロックや井桁状ブロックを多数連接して護岸に据付け、その内部の空所に石や土を充填するブロック工法（例えば、特開平１１−２９３６４７号公報等）とに大別されるが、敷石工法の場合は、多孔部材に対する石材の固定にかなりの困難さを伴うことから、最近は、比較的施工性のよいブロック工法が多用されるようになってきている。
【０００３】
【発明が解決しようとする課題】
しかしながら、従来のブロック工法によれば、籠状ブロックや井桁状ブロックが１つの独立したユニットとなっているため、設置範囲を拡大するには、これらブロックをボルト等の連結手段を用いて相互に連結する必要があり、その連結に多くの工数がかかって、思うほど施工性が改善されない、という問題があった。また、連結手段には、強度に加えて耐食性が要求されるため、連結手段自体が高コストとなり、コスト面の負担が大きいという問題もあった。
【０００４】
本発明は、上記ブロック工法に伴う問題点に鑑みてなされたもので、その課題とするところは、ブロック相互の面倒な連結を不要にし、もって施工性の向上とコスト低減とに寄与する多自然化用組立ブロックを提供することにある。
【０００５】
【課題を解決するための手段】
上記課題を解決するため、本発明に係る多自然化用組立ブロックは、４つの多孔板部を十字型をなすように配列したコンクリート製十字ブロックを備え、該十字ブロックの各多孔板部の先端には、同列に並ぶ多孔板部同士で上・下の向きを逆にする段部を設けておき、前記十字ブロックの複数を、各多孔板部の先端の段部が相互に重なる状態で縦横に連接して格子状構造となし、各多孔板部で囲まれた空域を石、土等の充填域としたことを特徴とする。
このように構成した多自然化用組立ブロックにおいては、各多孔板部の先端の段部を相互に重ねて十字ブロックを連接するだけで設置範囲が拡大するので、連結手段による面倒な連結作業は不要となる。また、この組立ブロックの空域内に石、土等を充填した後は、相隣接して配置された十字ブロックの相互間で縦、横両方向の力が相殺されるので、各十字ブロックの連接状態は安定的に維持される。
【０００６】
本多自然化用組立ブロックは、３つの多孔板部をＴ字型をなすように配列したコンクリート製Ｔ字ブロックをさらに備え、該Ｔ字ブロックの各多孔板部の先端には、相隣接する２つの多孔板部と残りの１つの多孔板部との間で上・下の向きを逆にする段部を設けておき、該Ｔ字ブロックの複数を、それぞれの多孔板部の先端の段部が相互にかつ十字ブロックの段部に対して重なる状態て連接して、端縁を画定する構成としてもよいものである。この場合、２つの多孔板部をＬ字型をなすように配列したコンクリート製Ｌ字ブロックをさらに備え、該Ｌ字ブロックの各多孔板部の先端には、相互に上・下の向きを逆にする段部または同じ向きの段部を設けておき、該Ｌ字ブロックを、その多孔板部の先端の段部がＴ字ブロックの段部に対して重なる状態で連接して、隅角を画定する構成としてもよい。
【０００７】
【発明の実施の形態】
以下、本発明の実施の形態を添付図面に基いて説明する。
図１乃至図３は、本発明に係る多自然化用組立ブロックの第１の実施の形態を示したものである。本第１の実施の形態において、組立ブロック１は、多数の十字ブロック２と多数のＴ字ブロック３とからなっている。各十字ブロック２は、図２によく示されるように、複数の開口４を有する４つの多孔板部５を十字型をなすように配列した形状となっている。この十字ブロック２の各多孔板部５の先端には、同列に並ぶ多孔板部同士で上・下の向きを逆にする段部６が設けられており、各十字ブロック２は、前記開口４および段部６を有する形態で、プレキャストコンクリートから一体成形されている。一方、各Ｔ字ブロック３は、図３によく示されるように、複数の開口７を有する３つの多孔板部８をＴ字型をなすように配列した形状となっている。このＴ字ブロック３の各多孔板部８の先端には、相隣接する２つの多孔板部８と残りの１つの多孔板部８との間で上・下の向きを逆にする段部９が設けられており、各Ｔ字ブロック３は、前記開口７および段部９を有する形態で、プレキャストコンクリートから一体成形されている。
【０００８】
上記多数の十字ブロック２は、それぞれの多孔板部５の先端の段部６が相互に重なる状態で連接されており、これにより、各十字ブロック２の相互間には複数の多孔板部５で囲まれた四角形状の空域Ｓ１が多数形成される。したがって、組立ブロック１は、多数の十字ブロック２を段部６を重ねて縦横に連接することで、無限の広がりを有する格子状構造体となる。一方、上記多数のＴ字ブロック３は、それぞれの多孔板部８の先端の段部９が相互にかつ十字ブロック２に対して重なる状態で連接されており、これにより、各Ｔ字ブロック３と十字ブロック２との相互間にはそれぞれの多孔板部８と５とで囲まれた空域Ｓ２が多数形成される。Ｔ字ブロック３は、組立ブロック１の端縁を画定する役割をなすもので、このＴ字ブロック３を、適当数連接した十字ブロック２の片側に配置することで、組立ブロック１の全体的な大きさが画定されるようになる。
なお、上記空域Ｓ１、Ｓ２の大きさは任意であるが、一例として、縦、横それぞれ１〜２Ｍ程度、深さ３０〜７０ｃｍ程度に設定される。
【０００９】
上記のように構成した組立ブロック１は、十字ブロック２の相互間に形成された空域Ｓ１および十字ブロック２とＴ字ブロック３との相互間に形成された空域Ｓ２に石または土を充填し、さらに所望により前記した土内に植物の種子を播種しあるいは苗を移植することで、多自然化に寄与するものとなる。しかして、この組立ブロック１は、十字ブロック２およびＴ字ブロック３を、それぞれの多孔板部５，８の先端の段部６、９が相互に重ねて連接するだけで拡大するので、その据付けには特別の困難性はなく、施工性に優れたものとなる。しかも、前記空域Ｓ１、Ｓ２内に石や土を充填した後は、相隣接して配置された十字ブロック２の相互間で横力が相殺されるので、各十字ブロック２は相互に位置ずれを起こすことはなく、これらの連接状態は安定的に維持される。ただし、各ブロック２、３の組立中および各空域Ｓ１、Ｓ２内への土等の充填途中段階では、横力にバランスを欠いて各ブロック２、３が位置ずれを起こす虞があるので、各段部６、９の重ね部（継目）に、例えばコ字形の押え金具を嵌合して、各ブロック２、３を相互に仮止めするようにしてもよい。
【００１０】
ここで、上記組立ブロック１は、十字ブロック２同士の段部６の重ね代および十字ブロック２の段部６とＴ字ブロック３の段部９との重ね代を、一方向へ向けて次第に変化させることで、図４および図５に示すように、扇形の広がりを有するものとなる。この場合、各段部６、９の重ね部（継目）に間隙δが形成されることになるが、各空域Ｓ１、Ｓ２内に石や土を充填した後は、上記した横力の相殺により各十字ブロック２の相互の位置ずれが防止されるので、前記した扇形の広がりは安定的に維持される。ただし、各ブロック２、３の組立中および各空域Ｓ１、Ｓ２内への土等の充填途中段階では、横力にバランスを欠いて、各ブロック２、３が位置ずれを起こす虞があるので、前記した各間隙δに適当なスペーサを介在させて、この間隙を維持するようにしてもよい。
【００１１】
また、上記組立ブロック１は、図６および図７に示すように、Ｌ字ブロック１０を隅角部に配置するようにしてもよい。このＬ字ブロック１０は、図７によく示されるように、複数の開口１１を有する２つの多孔板部１２をＬ字型をなすように配列した形状となっている。このＬ字ブロック１０の各多孔板部１２の先端には、相互に上・下の向きを逆にする段部１３が設けられており、各Ｌ字ブロック１０は、前記開口１１および段部１３を有する形態で、プレキャストコンクリートから一体成形されている。各Ｌ字ブロック１０は、それぞれの多孔板部１２の先端の段部１３がＴ字ブロック３の多孔板部８の段部９に重なる状態で、該Ｔ字ブロック３に連接されており、これにより、各Ｌ字ブロック１０とＴ字ブロック３および十字ブロック２との相互間にはそれぞれの多孔板部１２、８、５とで囲まれた空域Ｓ３が形成される。Ｌ字ブロック１０は、組立ブロック１の隅角を画定する役割をなすもので、このＬ字ブロック１０の配置により、組立ブロック１は全体の輪郭が明瞭な矩形状を呈するものとなる。なお、このＬ字ブロック１０は、Ｔ字ブロック３の配列数によっては、各多孔板部１２に関して段部１３の向きを同じにしたＬ字ブロック１０´を必要とする場合もある（図８参照）。
【００１２】
図８乃至図９は、本発明に係る多自然化用組立ブロックの第２の実施の形態を示したもので、本第２の実施の形態としての組立ブロック２０は、その長手方向の２箇所に屈曲部２１を有している。この屈曲部２１は、変形十字ブロック２２（２２Ａ，２２Ｂ）の重ね部と変形Ｔ字ブロック２３（２３Ａ，２３Ｂ）の重ね部に設定されている。なお、組立ブロック２０の全体構造は前記組立ブロック１（図１）と同じでありかつ前記変形十字ブロック２２、変形Ｔ字ブロック２３の基本構造は前記十字ブロック２（図２）、Ｔ字ブロック３（図３）と同じであるので、ここでは、図１〜３に示した部分と同一部分には同一符号を付し、重複する説明は省略する。
【００１３】
上記変形十字ブロック２２は、図９によく示されるように、上記十字ブロック２の４つの多孔板部５のうちの１つの先端に、前記段部６に代えて凹部２４を設けた第１ブロック２２Ａと同様に凸部２５を設けた第２ブロック２２Ｂとからなっている。第１ブロック２２Ａと第２ブロック２２Ｂとは、相互に凹部２４と凸部２５とを嵌合（凹凸嵌合）させて連接され、したがって、両者は、図８に示すように任意の連接角度θ１をとり得るようになっている。一方、変形Ｔ字ブロック２３は、上記Ｔ字ブロック３の３つの多孔板部８のうちの１つの先端に、前記段部９に代えて凹部を設けた第１ブロック２３Ａと同様に凸部を設けた第２ブロック２３Ｂとからなっている。第１ブロック２３Ａと第２ブロック２３Ｂとは、相互に凹凸嵌合させて連接され、したがって、両者は、前記変形十字ブロック２２と同様に任意の連接角度θ２をとり得るようになる。
このような変形十字ブロック２２および変形Ｔ字ブロック２３を凹凸嵌合させながら適宜位置に配置することで、連続性を維持しながら本組立ブロック２０に屈曲部２１を付けることができ、したがって、本組立ブロック２０は、屈曲面の多い河川護岸等に向けて有用となる。
【００１４】
図１０は、上記第２実施の形態である組立ブロック２０を用いる多自然護岸工法を示したものである。同図において、Ａは、川床３０の一部と法面３１の下側部分３１ａとを含む低水域、Ｂは、法面３１の上側部分３１ｂと天端３２とを含む高水域である。本多自然護岸工法においては、川床３０と法面３１との境界部および法面３１と天端３２との境界部に上記変形十字ブロック２２および変形Ｔ字ブロック２３を配置して、上記屈曲部２１（図８）を形成しながら組立ブロック２０を護岸に据付ける。なお、この組立ブロック２０の据付けに際しては、低水域Ａおよび高水域Ｂの据付面に予め吸出防止材（シート）を敷設するようにしてもよい。
【００１５】
そして、上記組立ブロック２０の据付けが終了したら、低水域Ａに据付けた組立ブロック２０の空域Ｓ１〜Ｓ３（図８）内に割石、栗石等の石３３を、高水域に据付けた組立ブロック２０の空域Ｓ１〜Ｓ３内に客土３４をそれぞれ充填する。また、必要により、低水域Ａに据付けた組立ブロック２０の上面をネット（亀甲ネット）３５で覆い、さらに、所望により前記客土３４内に植物の種子を播種しあるいは苗を移植する。
このようにして造成された多自然型護岸は、水中部分においては川床３０を安定させると共に魚類を生息環境を提供し、陸上部分においては動植物の生息環境を提供し、自然環境の保全、快適な水辺空間の創造に大きく寄与するものとなる。
【００１６】
【発明の効果】
以上、説明したように、本発明に係る多自然化用組立ブロックによれば、十字型を基本とするブロックの複数を相互に段部を重ねながら縦横に連接するだけで据付けが完了するので、従来のようにブロック同士を連結手段により連結する面倒な作業が不要となり、施工性の大幅な向上はもとより、施工コストの大幅な低減に大きく寄与し、その利用価値は大なるものがある。
【図面の簡単な説明】
【図１】本発明に係る多自然化用組立ブロックの第１の実施の形態を示す斜視図である。
【図２】本組立ブロックを構成する十字ブロックの構造を示す斜視図である。
【図３】本組立ブロックを構成するＴ字ブロックの構造を示す斜視図である。
【図４】本組立ブロックを扇形状に構築する場合の組立状態を示す斜視図である。
【図５】本組立ブロックを扇形状に構築する場合の組立状態を示す平面図である。
【図６】隅角を画定した本組立ブロックの構造を示す部分斜視図である。
【図７】本組立ブロックを構成するＬ字ブロックの構造を示す斜視図である。
【図８】本発明に係る多自然化用組立ブロックの第２の実施の形態を示す斜視図である。
【図９】第２の実施の形態で用いる変形十字ブロックの構造を示す斜視図である。
【図１０】本組立ブロックを用いて造成した多自然型護岸を示す断面図である。
【符号の説明】
１、２０    組立ブロック
２    十字ブロック
３    Ｔ字ブロック
５    十字ブロックの多孔板部
６    十字ブロックの段部
８    Ｔ字ブロックの多孔板部
９    Ｔ字ブロックの段部
１０、１０´  Ｌ字ブロック
１２  Ｌ字ブロックの多孔板部
１３  Ｌ字ブロックの段部
２２  変形十字ブロック
２３  変形Ｔ字ブロック
３３  石、    ３４  土
Ａ  低水域、    Ｂ  高水域
【図１】
0003796689.tif 000002
【図２】
0003796689.tif 000003
【図３】
0003796689.tif 000004
【図４】
0003796689.tif 000005
【図５】
0003796689.tif 000006
【図６】
0003796689.tif 000007
【図７】
0003796689.tif 000008
【図８】
0003796689.tif 000009
【図９】
0003796689.tif 000010
【図１０】
0003796689.tif 000011